(57)【要約】【課題】構造物の図面データに基づいて機器表や系統図を生成する情報処理装置及び方法において、処理時間を大幅に短縮することができ、作業効率を大幅に増大させる。【解決手段】図面データ処理装置１０において、複数の機器に対して付加された機器情報と、各機器の位置情報を含む付加情報とを含む構造物の図面データから複数の機器に関する付加情報を含む機器情報を抽出して中間テーブルとして格納する。中間テーブルから各機器を検索してその付加情報を取得して所定の情報毎にソートした後、機器表の形式を示す所定のテンプレートに従って各機器の付加情報を含む機器情報を所定のファイルに挿入することにより、機器表の形式で表示された機器表のデータを作成する。【選択図】図１７
2008146563.tif 000002
【特許請求の範囲】
【請求項１】
複数の機器に対して付加された機器情報を含む図面データに基づいて、機器表のデータを作成する情報処理装置において、
上記図面データから上記複数の機器に関する機器情報を抽出して中間テーブルとして記憶装置に格納する手段と、
上記格納された中間テーブルから各機器を検索しかつ所定の情報毎にソートした後、上記機器表の形式を示す所定のテンプレートに従って上記機器情報を所定のファイルに挿入することにより、上記機器表の形式で表示された機器表のデータを作成する手段とを備えたことを特徴とする情報処理装置。
【請求項２】
上記図面データは上記複数の機器に関する系統情報を含み、
上記機器表のデータを作成する手段は、上記系統情報毎にソートすることを特徴とする請求項１記載の情報処理装置。
【請求項３】
複数の機器に対して付加された機器情報と、上記各機器の位置情報、系統情報及び接続情報を含む付加情報とを含む構造物の図面データに基づいて、系統図のデータを作成する情報処理装置において、
上記複数の機器に対して付加された機器情報と、上記各機器の付加情報とを含む図面データから、上記複数の機器に関する付加情報を含む機器情報を抽出して中間テーブルとして記憶装置に格納する手段と、
上記格納された中間テーブルから各機器を検索してその付加情報を取得して位置情報毎にソートした後、所定のテンプレートに含まれる系統図の原図において上記各機器の位置情報に基づいて上記各機器の所定の記号を挿入しかつ上記系統情報及び接続情報に基づいて上記各機器を接続する接続情報記号を挿入することにより、上記系統図のデータを作成する手段とを備えたことを特徴とする情報処理装置。
【請求項４】
上記構造物は、複数の図面データを含み、
上記中間テーブルを格納する前に、上記複数の図面データ間の関連付けを行う関連付け情報を作成して上記記憶装置に格納する手段をさらに備え、
上記系統図のデータを作成する手段は上記関連付け情報に基づいて上記系統図のデータを作成することを特徴とする請求項３記載の情報処理装置。
【請求項５】
複数の機器に対して付加された機器情報を含む図面データに基づいて、機器表のデータを作成する情報処理方法において、
上記図面データから上記複数の機器に関する機器情報を抽出して中間テーブルとして記憶装置に格納するステップと、
上記格納された中間テーブルから各機器を検索しかつ所定の情報毎にソートした後、上記機器表の形式を示す所定のテンプレートに従って上記機器情報を所定のファイルに挿入することにより、上記機器表の形式で表示された機器表のデータを作成するステップとを含むことを特徴とする情報処理方法。
【請求項６】
上記図面データは上記複数の機器に関する系統情報を含み、
上記機器表のデータを作成するステップは、上記系統情報毎にソートすることを特徴とする請求項５記載の情報処理方法。
【請求項７】
複数の機器に対して付加された機器情報と、上記各機器の位置情報、系統情報及び接続情報を含む付加情報とを含む構造物の図面データに基づいて、系統図のデータを作成する情報処理方法において、
上記複数の機器に対して付加された機器情報と、上記各機器の付加情報とを含む図面データから、上記複数の機器に関する付加情報を含む機器情報を抽出して中間テーブルとして記憶装置に格納するステップと、
上記格納された中間テーブルから各機器を検索してその付加情報を取得して位置情報毎にソートした後、所定のテンプレートに含まれる系統図の原図において上記各機器の位置情報に基づいて上記各機器の所定の記号を挿入しかつ上記系統情報及び接続情報に基づいて上記各機器を接続する接続情報記号を挿入することにより、上記系統図のデータを作成するステップとを含むことを特徴とする情報処理方法。
【請求項８】
上記構造物は、複数の図面データを含み、
上記中間テーブルを格納する前に、上記複数の図面データ間の関連付けを行う関連付け情報を作成して上記記憶装置に格納するステップをさらに含み、
上記系統図のデータを作成するステップは上記関連付け情報に基づいて上記系統図のデータを作成することを特徴とする請求項７記載の情報処理方法。
【請求項９】
請求項５乃至８のうちのいずれか１つに情報処理方法に含まれる各ステップを含むことを特徴とするコンピュータにより実行可能なプログラム。
【請求項１０】
請求項９記載のプログラムを格納したことを特徴とするコンピュータにより読取可能な記録媒体。
【発明の詳細な説明】
【技術分野】
【０００１】
本発明は、情報処理装置及び方法、プログラム並びに記録媒体に関し、特に、複数階の構造物の図面データに基づいて、機器表データ又は系統図データを生成するための情報処理装置及び方法、プログラム並びにそのプログラムを記録したコンピュータにより読取可能な記録媒体に関する。
【背景技術】
【０００２】
ビルなどの高層建築物などの設計においては、ＣＡＤ（Computer Aided Design）装置の平面図を利用してフロア毎に設計が進められることが多くなっている。例えば、各フロア毎に平面図を管理するような場合、各フロアにまたがる情報（例えば、パイプシャフトや吹抜けなど）を認識するには、１個のファイルの中に１階、２階といった各フロアの図面情報自身を持ち、各フロアの接続情報を管理する方法がとられている。
【０００３】
また、対話型自動設計ＣＡＤシステムにおいて、複数の構成要素から構成される作図対象の同一軸に垂直な平面図群からなる複数の図面を作図する際に、任意の平面図上のある構成要素の位置を対話操作で移動させた時、この移動に影響を受ける他の平面図上の構成要素をすべて連動して位置を移動させるようにしたものがある（例えば、特許文献１参照）。
【０００４】
さらに、複数図面間、図面・地物属性間で同じ地物を指す図形に共通なＩＤを付与する。すなわち、新規図面のＩＤのない図形に対し、ユーザによる指定、図形位置、図形同士のトポロジ関係をキーに、既入力地物との対応付けを行いＩＤを付与する。そして、トポロジ関係で既入力地物と矛盾の生じた図形は矛盾図形又は更新図形としてユーザに提示する。さらに、更新図形に関しては地物属性を更新し、関連図面のトポロジ的に同位置の図形を連動して更新する。このようにすることで、図面と属性の対応、図面間矛盾／更新個所抽出、関連図面連動更新機能を、統合的かつ低コストで実現できるようにするものがある（例えば、特許文献２参照）。
【０００５】
しかしながら、複数のフロアの図面を１個のファイルに収めた場合、フロア数が多くなると、データ容量が大きくなるので、処理時間が長くなるため、情報処理装置からのレスポンスが悪くなり、生産性が落ちてしまうという課題があった。また、情報処理装置からのレスポンスが悪くなることに伴って、フロア図面データの作図編集作業を行う際、対象となるフロアのフロア図面データの作図編集作業ができる状態にするのに時間がかかってしまうと言う課題があった。さらに、作業対象となるフロアの情報以外の情報（例えばレイヤなど）が多すぎるために、作業性が悪くなり、生産性が落ちてしまうという課題があった。
【０００６】
以上の問題点を解決するために、特に、ＣＡＤ図面で、高層構造物の設計をフロア毎の図面で管理するような場合、管理における手間とミスを抑制できるようにするために、複数のフロア図面データを取得する取得手段と、取得手段により取得された複数のフロア図面データのうち、いずれか基準となる基準フロア図面データの貫通構造物の情報と、基準フロア図面データ以外のフロア図面データの貫通構造物との情報を比較する比較手段と、比較手段の比較結果に基づいて、フロア図面データを区別して表示する表示手段とを備えた情報処理装置が特許文献３において開示されている。
【０００７】
【特許文献１】特開２０００−０２０５５８号公報。
【特許文献２】特開２００１−０５２１４９号公報。
【特許文献３】特開２００６−０５９１５７号公報。
【発明の開示】
【発明が解決しようとする課題】
【０００８】
特許文献３において開示された情報処理装置においては、目的となる図や表を作成するために、複数図面の関連付けを行い、図面全体を解釈することにより、必要な情報を取り出すが、図面の場合、元々目的となる図や表とは異なる目的のために作成されており、それを利用して情報を取得するには全データを解釈し、必要な情報のみを取り出すという非常に特殊な処理を作成する必要があり、情報処理装置における処理時間が長くなるという問題点があった。すなわち、目的の数が多くなればなるほど特殊な処理を作成する必要があり、非常に処理工数がかかり、処理時間が長くなるという問題点があった。
【０００９】
本発明の目的は以上の問題点を解決し、構造物の図面データに基づいて機器表や系統図を生成する情報処理装置及び方法において、従来技術に比較して処理時間を大幅に短縮することができ、作業効率を大幅に増大させることができる情報処理装置及び方法を提供することにある。
【００１０】
また、本発明の別の目的は、上記情報処理装置及び方法の処理ステップを有し、コンピュータにより実行可能なプログラムと、そのプログラムを記録し、コンピュータにより読取可能な記録媒体を提供することにある。
【課題を解決するための手段】
【００１１】
第１の発明に係る情報処理装置は、複数の機器に対して付加された機器情報を含む図面データに基づいて、機器表のデータを作成する情報処理装置において、
上記図面データから上記複数の機器に関する機器情報を抽出して中間テーブルとして記憶装置に格納する手段と、
上記格納された中間テーブルから各機器を検索しかつ所定の情報毎にソートした後、上記機器表の形式を示す所定のテンプレートに従って上記機器情報を所定のファイルに挿入することにより、上記機器表の形式で表示された機器表のデータを作成する手段とを備えたことを特徴とする。
【００１２】
上記情報処理装置において、上記図面データは上記複数の機器に関する系統情報を含み、上記機器表のデータを作成する手段は、上記系統情報毎にソートすることを特徴とする。
【００１３】
第２の発明に係る情報処理装置は、複数の機器に対して付加された機器情報と、上記各機器の位置情報、系統情報及び接続情報を含む付加情報とを含む構造物の図面データに基づいて、系統図のデータを作成する情報処理装置において、
上記複数の機器に対して付加された機器情報と、上記各機器の付加情報とを含む図面データから、上記複数の機器に関する付加情報を含む機器情報を抽出して中間テーブルとして記憶装置に格納する手段と、
上記格納された中間テーブルから各機器を検索してその付加情報を取得して位置情報毎にソートした後、所定のテンプレートに含まれる系統図の原図において上記各機器の位置情報に基づいて上記各機器の所定の記号を挿入しかつ上記系統情報及び接続情報に基づいて上記各機器を接続する接続情報記号を挿入することにより、上記系統図のデータを作成する手段とを備えたことを特徴とする。
【００１４】
上記情報処理装置において、上記構造物は、複数の図面データを含み、
上記中間テーブルを格納する前に、上記複数の図面データ間の関連付けを行う関連付け情報を作成して上記記憶装置に格納する手段をさらに備え、
上記系統図のデータを作成する手段は上記関連付け情報に基づいて上記系統図のデータを作成することを特徴とする。
【００１５】
第３の発明に係る情報処理方法は、複数の機器に対して付加された機器情報を含む図面データに基づいて、機器表のデータを作成する情報処理方法において、
上記図面データから上記複数の機器に関する機器情報を抽出して中間テーブルとして記憶装置に格納するステップと、
上記格納された中間テーブルから各機器を検索しかつ所定の情報毎にソートした後、上記機器表の形式を示す所定のテンプレートに従って上記機器情報を所定のファイルに挿入することにより、上記機器表の形式で表示された機器表のデータを作成するステップとを含むことを特徴とする。
【００１６】
上記情報処理方法において、上記図面データは上記複数の機器に関する系統情報を含み、上記機器表のデータを作成するステップは、上記系統情報毎にソートすることを特徴とする。
【００１７】
第４の発明に係る情報処理方法は、複数の機器に対して付加された機器情報と、上記各機器の位置情報、系統情報及び接続情報を含む付加情報とを含む構造物の図面データに基づいて、系統図のデータを作成する情報処理方法において、
上記複数の機器に対して付加された機器情報と、上記各機器の付加情報とを含む図面データから、上記複数の機器に関する付加情報を含む機器情報を抽出して中間テーブルとして記憶装置に格納するステップと、
上記格納された中間テーブルから各機器を検索してその付加情報を取得して位置情報毎にソートした後、所定のテンプレートに含まれる系統図の原図において上記各機器の位置情報に基づいて上記各機器の所定の記号を挿入しかつ上記系統情報及び接続情報に基づいて上記各機器を接続する接続情報記号を挿入することにより、上記系統図のデータを作成するステップとを含むことを特徴とする。
【００１８】
上記情報処理方法において、上記構造物は、複数の図面データを含み、
上記中間テーブルを格納する前に、上記複数の図面データ間の関連付けを行う関連付け情報を作成して上記記憶装置に格納するステップをさらに含み、
上記系統図のデータを作成するステップは上記関連付け情報に基づいて上記系統図のデータを作成することを特徴とする。
【００１９】
第５の発明に係るコンピュータにより実行可能なプログラムは、上記各情報処理方法に含まれる各ステップを含むことを特徴とする。
【００２０】
第６の発明に係るコンピュータにより読取可能な記録媒体は、上記プログラムを格納したことを特徴とする。
【発明の効果】
【００２１】
本発明に係る情報処理装置及び方法、プログラム及び記録媒体によれば、本発明に係る情報処理装置及び方法、プログラム及び記録媒体によれば、図面データ全体を解釈したり、そのために開いたりする必要がなく、図面データのごく一部のデータを読み取るだけで済み、情報の取り出しが敏速に行うことができ、作業時間の短縮が図れる。従って、従来技術に比較して処理時間を大幅に短縮することができ、作業効率を大幅に増大させることができる。また、複数の図面の関連付けを行うことで、１つの図面では実現できなかった目的の機器表や系統図を作成できる。さらに、機器表や系統図のデータを手動で入力して作成する必要がなくなり、作業の効率化が図れる。
【発明を実施するための最良の形態】
【００２２】
以下、本発明に係る実施形態について図面を参照して説明する。なお、以下の各実施形態において、同様の構成要素については同一の符号を付している。
【００２３】
図１は本発明の一実施形態に係る図面データ処理装置の構成を示すブロック図であり、図１７は図１の図面データ処理装置によって実行される機器表データ生成処理のフローチャートであり、図１８は図１の図面データ処理装置によって実行される系統図データ生成処理のフローチャートである。
【００２４】
図１の図面データ処理装置は例えば情報処理装置であるディジタル計算機にてなり、図１７の機器表データ生成処理を実行することにより、構造物である複数階の建物の図面データに基づいて機器表データを生成することを特徴としている。また、図１の図面データ処理装置は、図１８の系統図データ生成処理を実行することにより、構造物である複数階の建物の図面データに基づいて系統図図面データを生成することを特徴としている。
【００２５】
図１において、図面データ処理装置１０の通信インターフェース５１は、インターネット８０を介して、設備機器情報を予め格納して提供する設備機器情報データベースサーバ装置７０に接続され、図面データ処理装置１０は、設備機器情報データベースサーバ装置７０にアクセスすることにより、所望する設備機器情報を取得してハードディスクメモリ２３に格納する。また、図面データ処理装置１０のドライブ装置インターフェース３５ｂを介して、例えばハードディスクメモリであり設備機器情報を予め格納して提供する外部記憶装置６０に接続され、図面データ処理装置１０は、外部記憶装置６０にアクセスすることにより、所望する設備機器情報を取得してハードディスクメモリ２３に格納してもよい。
【００２６】
図面データ処理装置１０は、
（ａ）当該図面データ処理装置１０の動作及び処理を演算及び制御するコンピュータのＣＰＵ（中央演算処理装置）２０と、
（ｂ）オペレーションプログラムなどの基本プログラム及びそれを実行するために必要なデータを格納するＲＯＭ（読み出し専用メモリ）２１と、
（ｃ）ＣＰＵ２０のワーキングメモリとして動作し、当該図面データ処理で必要なパラメータやデータを一時的に格納するＲＡＭ（ランダムアクセスメモリ）２２と、
（ｄ）当該図面データ処理において用いる各種データ（図２参照。）を格納するためのハードディスクメモリ２３と、
（ｅ）例えばハードディスクメモリで構成され、ＣＤ−ＲＯＭドライブ装置４５を用いて読み込んだ、図１７の機器表データ生成処理及び図１８の系統図データ生成処理のプログラム（これらのプログラムはコンピュータにより実行可能なプログラムである。）を格納するプログラムメモリ２４と、
（ｆ）設備機器情報データベースサーバ装置７０とインターネット８０を介して接続され、設備機器情報データベースサーバ装置７０とデータを送受信する通信インターフェース５１と、
（ｇ）所定のデータや指示コマンドを入力するためのキーボード４１に接続され、キーボード４１から入力されたデータや指示コマンドを受信して所定の信号変換などのインターフェース処理を行ってＣＰＵ２０に伝送するキーボードインターフェース３１と、
（ｈ）ＣＲＴディスプレイ４３上で指示コマンドを入力するためのマウス４２に接続され、マウス４２から入力されたデータや指示コマンドを受信して所定の信号変換などのインターフェース処理を行ってＣＰＵ２０に伝送するマウスインターフェース３２と、
（ｉ）ＣＰＵ２０によって処理されたデータや設定指示画面、生成された機器表データや系統図データなどを表示するＣＲＴディスプレイ４３に接続され、表示すべき画像データをＣＲＴディスプレイ４３用の画像信号に変換してＣＲＴディスプレイ４３に出力して表示するディスプレイインターフェース３３と、
（ｊ）ＣＰＵ２０によって処理されたデータ及び所定の生成された機器表データや系統図データなどを印字するプリンタ４４に接続され、印字すべき印字データの所定の信号変換などを行ってプリンタ４４に出力して印字するプリンタインターフェース３４と、
（ｋ）図１７の機器表データ生成処理及び図１８の系統図データ生成処理のプログラムが記憶されたＣＤ−ＲＯＭ４５ａから当該プログラムのプログラムデータを読み出すＣＤ−ＲＯＭドライブ装置４５に接続され、読み出された画像処理プログラムのプログラムデータを所定の信号変換などを行ってプログラムメモリ２４に転送するドライブ装置インターフェース３５ａと、
（ｌ）例えば設備機器情報のデータを記憶する、例えばハードディスクメモリなどの外部記憶装置６０に接続され、読み出されたデータを所定の信号変換などを行ってＣＰＵ２０又はハードディスクメモリ２３に転送するドライブ装置インターフェース３５ｂとを備え、
これらの回路２０−２４、３１−３４、３５ａ、３５ｂ及び５１はバス３０を介して接続される。
【００２７】
図２は図１のハードディスクメモリ２３の構成を示すブロック図である。図２において、ハードディスクメモリ２３は以下のデータファイルを格納する複数のメモリ２３ａ乃至２３ｆを含む。
（ａ）図面データメモリ２３ａ：複数階の建物の図面データ（１つの階の図面データの一例を図１４に示す。）を格納するメモリであって、図３に示すように、図面データヘッダ情報及び図面情報に加えて、本実施形態に係る中間テーブルを格納する。
（ｂ）機器表データメモリ２３ｂ：図１７の機器表データ生成処理によって生成された機器表データ（機器表データの図面データの一例を図１５に示す。）を格納するメモリである。
（ｃ）系統図図面データメモリ２３ｃ：図１８の系統図データ生成処理によって生成された系統図図面データ（その一例を図１６に示す。）を格納するメモリである。
（ｄ）機器表テンプレートメモリ２３ｄ：図１７の機器表データ生成処理において機器表データを生成するときに用いるテンプレートである機器表テンプレートのデータを格納するメモリである。
（ｅ）機器表中間ファイルメモリ２３ｅ：図１７の機器表データ生成処理において、表計算ファイルにてなる機器表中間ファイルを格納するメモリである。
（ｆ）系統図図面テンプレートメモリ２３ｆ：図１８の系統図データ生成処理において系統図図面データを生成するときに用いるテンプレートである機器表テンプレートのデータを格納するメモリである。
【００２８】
図３は図２の図面データメモリ２３ａの構成を示すブロック図である。図３において、図面データメモリ２３ａは、
（ａ）例えば建物の各階の平面図である図面データの名称、作成日時、作成者、バージョンなどの書誌的事項を含む図面ヘッダ情報と、
（ｂ）本実施形態に係る中間テーブルと、
（ｃ）上記建物の各階の平面図である図面データの実際の図面を描写するときの実線、曲線、破線などの描写データを含む図面情報とを格納する。
【００２９】
ここで、中間テーブルは、図１７の機器表データ生成処理又は図１８の系統図データ生成処理を実行するときに、処理時間を短縮するために生成するものであり、
（ア）管部品情報（位置情報、接続情報及び系統情報等の付加情報を含む）と、
（イ）配管及びダクト部品情報（位置情報、接続情報及び系統情報等の付加情報を含む）と、
（ウ）機器情報（位置情報、接続情報及び系統情報等の付加情報を含む）と、
（エ）器具情報（位置情報、接続情報及び系統情報等の付加情報を含む）と、
（オ）躯体情報（位置情報及び仕様情報等の付加情報を含む）と、
（カ）部屋情報と、
（キ）系統情報（部品情報に含まれない系統情報を含む）と、
（ク）図面関連付け情報（複数階の建物の図面データが１つの建物のセットであることと、各階の図面データ間の上下階関係の情報をいう。）などとを含む。
【００３０】
図４は図１の図面データ処理装置によって実行される機器表データ生成処理（図１７）又は系統図データ生成処理（図１８）において取得される機器情報の一例を示す表である。機器情報は、例えば、建設ＣＡＤデータ交換コンソーシアム（Ｃ−ＣＡＤＥＣ：Construction-CAD Data Exchange Consortium）において収集された設備機器情報であって、設備機器ライブラリーデータ交換仕様（通称「Ｓｔｅｍ」）に準拠した機器情報データであって、図４に示すように、項目、名称、仕様値、単位、拡張内容などのデータ項目毎の情報を含む。ここで、「項目」は各機器情報の項目であり、「名称」は各機器情報の項目の名称又は呼び名であり、「仕様値」は各機器情報の項目の内容である仕様の値であり、「単位」は「仕様値」の単位であり、「拡張内容」は該当する項目の詳細内容の情報である。
【００３１】
図５は図３の図面データメモリ２３ａ内の中間テーブル内の管部品情報の一例を示す表である。当該管部品情報は、図５に示すように、各管部品に関する位置情報、接続情報及び系統情報などを含む。
【００３２】
図６は図３の図面データメモリ２３ａ内の中間テーブル内の配管及びダクト部品情報の一例を示す表である。当該配管及びダクト部品情報は、図６に示すように、各配管又はダクトの部品に関する位置情報、接続情報及び系統情報などを含む。
【００３３】
図７は図３の図面データメモリ２３ａ内の中間テーブル内の機器情報の一例を示す表である。当該機器情報は、図７に示すように、各設備機器に関する位置情報、接続情報及び系統情報などを含む。
【００３４】
図８は図３の図面データメモリ２３ａ内の中間テーブル内の器具情報の一例を示す表である。当該器具情報は、図８に示すように、各設備器具に関する位置情報、接続情報及び系統情報などを含む。
【００３５】
図９は図３の図面データメモリ２３ａ内の中間テーブル内の躯体情報の一例を示す表である。当該躯体情報は、図９に示すように、各躯体に関する位置情報及び仕様情報などを含む。
【００３６】
図１０は図３の図面データメモリ２３ａ内の中間テーブル内の部屋情報の一例を示す表である。当該部屋情報は、図１０に示すように、各部屋に関する部屋番号や部屋名称などの情報を含む。
【００３７】
図１１は図３の図面データメモリ２３ａ内の中間テーブル内の系統情報の一例を示す表である。当該系統情報は上記各種の部品情報に含まれない系統情報を含み、図１１に示すように、各系統情報に関する系統インデックス、系統記号、口径サイズなどの情報を含む。
【００３８】
図１２は図１の図面データ処理装置によって実行される機器表データ生成処理（図１７）において入力される機器表のヘッダ項目の一例を示す図である。当該機器表のヘッダ項目については、例えば表計算ソフトウェアのファイルの画面上でキーボード４１を用いて入力し、当該機器表のヘッダ項目は、例えば、図１２に示すように、機器番号、名称、仕様、電気容量、台数、設置場所、備考などを含む。
【００３９】
図１３は図１の図面データ処理装置によって実行される機器表データ生成処理（図１７）において設定される機器表テンプレートの一例を示す図である。当該機器表テンプレートについては、例えば表計算ソフトウェアのファイルの画面上でキーボード４１を用いて入力し、例えば、図１３に示すように、文字又は文字列の両側に＃を付加することにより、対応する「文字列」を挿入すべき位置を示し、文字又は文字列の両側に＆を付加することにより、対応する「単位」を挿入すべき位置を示し、文字又は文字列の両側に＄を付加することにより、対応する「名称」を挿入すべき位置を示す。なお、本実施形態において、「系統情報」とは、具体的には、図１３のＡ１に示すように、系統記号、系統番号、系統枝番号からなる情報をいう。
【００４０】
図１７は図１の図面データ処理装置によって実行される機器表データ生成処理のフローチャートである。
【００４１】
図１７において、まず、ステップＳ１において、図面データ生成処理を実行する。当該図面データ作成処理では、例えば各階の建物図面データ（例えば、図１４参照）の図面上に、マウス４１などの入力手段を用いてＣＡＤシステムの所定の機器記号を配置しかつ、例えば設備機器情報データベースサーバ装置７０又は外部記憶装置６０にアクセスすることにより、当該機器記号の機器に対応する、例えば図４で示す機器情報のデータを取得して上記機器記号に対応して当該図面データに付加して各階の図面データを作成して図面データメモリ２３ａに格納する。次いで、ステップＳ２において複数階の図面データに対する関連付け処理を実行する。当該関連付け処理では、１つの構造物である建物に属する１つの階又は複数階の図面データを１つの建物の図面データとしかつ、階の上下関係を指定することにより行う。具体的には、当該図面関連付け情報を一時的にＲＡＭ２２で保持しておき、次のステップＳ３で生成される中間テーブル（図３参照。）に挿入する。ステップＳ３において中間テーブル生成及び付加処理を実行する。当該中間テーブル生成及び付加処理においては、図３に示すように、機器情報が挿入された各階毎の図面データから、付加された機器情報及び図面関連付け情報に含まれる以下の情報を抽出して中間テーブルに格納することにより中間テーブルのデータを各階の図面データにおいて作成挿入する。
（ア）管部品情報（位置情報、接続情報及び系統情報等の付加情報を含む）。
（イ）配管及びダクト部品情報（位置情報、接続情報及び系統情報等の付加情報を含む）。
（ウ）機器情報（位置情報、接続情報及び系統情報等の付加情報を含む）。
（エ）器具情報（位置情報、接続情報及び系統情報等の付加情報を含む）。
（オ）躯体情報（位置情報及び仕様情報等の付加情報を含む）。
（カ）部屋情報。
（キ）系統情報（部品情報に含まれない系統情報を含む）。
（ク）図面関連付け情報（複数階の建物の図面データが１つの建物のセットであることと、各階の図面データ間の上下階関係の情報をいう。）など。
なお、中間テーブルのデータの一例を図５乃至図１１に図示している。また、本実施形態では、管部品、配管及びダクト、機器、器具、躯体を含めて「機器」又は「機器及び部品」という。
【００４２】
さらに、ステップＳ４において機器表テンプレート生成処理を実行する。当該機器表テンプレート生成処理においては、例えば表計算ソフトウェアのファイルにおいて、図１２に示すように、作成したい機器表の項目を操作者がキーボード４１を用いて入力しかつ、図１３に示すように、各項目に対応して当該機器表において機器情報を挿入する形式（フォーマット）を所定の記述方法で入力する。本実施形態では、図１３に示すように、表計算ソフトウェアのファイルの画面上でキーボード４１を用いて入力し、文字又は文字列の両側に＃を付加することにより、対応する「文字列」を挿入すべき位置を示し、文字又は文字列の両側に＆を付加することにより、対応する「単位」を挿入すべき位置を示し、文字又は文字列の両側に＄を付加することにより、対応する「名称」を挿入すべき位置を示す記述方法を用いている。機器表の項目と形式を入力すれば、機器表テンプレートの作成を終了して当該機器表テンプレートのファイル（本実施形態では、表計算ソフトウェアのファイル）を機器表テンプレートメモリ２３ｄに格納する。
【００４３】
次いで、ステップＳ５において未選択の１つ階の図面データを検索して選択して読み出し、ステップＳ６において選択された図面データの中間テーブルから機器を検索し、検索した機器の系統情報及び機器情報（位置情報及び接続情報を含む）を取得してＲＡＭ２２に格納し、ステップＳ７においてすべての階の図面データについて検索したか否かが判断され、ＮＯのときはステップＳ５に戻る一方、ＹＥＳのときはステップＳ８に進む。
【００４４】
さらに、ステップＳ８において取得した系統情報毎に機器情報をソートし、ステップＳ９において未選択の１つの機器を選択し、ステップＳ１０において機器表テンプレートメモリ２３ｄから選択した機器に対応する機器表テンプレートのファイル（本実施形態では、表計算ソフトウェアのファイルであるが、ＨＴＭＬファイルなどの他のファイルであってもよい。）を読み出し、挿入すべき機器情報の位置及び文字データを読み取る。そして、ステップＳ１１において上記機器表テンプレートに従って選択した機器の機器情報を、機器表の中間ファイル（本実施形態では、表計算ソフトウェアのファイルであるが、ＨＴＭＬファイルなどの他のファイルであってもよい。）に挿入することにより作成して中間ファイルメモリ２３ｅに格納する。ステップＳ１２においてすべての機器について処理したか否かが判断され、ＮＯのときはステップＳ９に進む一方、ＹＥＳのときはステップＳ１３に進む。ステップＳ１３において得られた機器表の中間ファイルを図面データ形式の機器表図面データ（例えば、図１５参照。）に変換し、機器表データメモリ２３ｂに格納して当該機器表データ生成処理を終了する。
【００４５】
以上説明したように、例えば機器情報を含む建物の図面データに基づいて、機器表に必要なデータを検索してなる中間テーブルと、機器表の形式を示す機器表テンプレートとを作成して機器表図面データを作成しているので、従来技術のごとく図面データから直接に機器表図面データを作成する場合に比較して処理時間を大幅に短縮することができ、作業効率を大幅に増大させることができる。
【００４６】
図１８は図１の図面データ処理装置によって実行される系統図データ生成処理のフローチャートである。
【００４７】
図１８において、まず、ステップＳ１図面データ生成処理を実行し、ステップＳ２において複数階の図面データに対する関連付け処理を実行し、ステップＳ３において中間テーブル生成及び付加処理を実行するが、これら３つの処理は、図１７の処理と同様なので詳細説明を省略する。
【００４８】
次いで、ステップＳ２０において系統図図面テンプレート生成処理を実行する。当該系統図図面テンプレート作成処理では、例えば、１つの建物の配管やダクトの系統であれば、建物全体の配管系統図を作成するために、ＣＡＤシステムを用いて各階の図面の位置を横軸でかつ高さ方向の図面の位置を縦軸で示した系統図図面（原図）を作成してそのテンプレートとし、系統図図面テンプレートメモリ２３ｆに格納する。
【００４９】
ステップＳ５において未選択の１つ階の図面データを検索して選択して読み出し、ステップＳ６において選択された図面データの中間テーブルから機器を検索し、検索した機器の系統情報及び機器情報（位置情報及び接続情報を含む）を取得してＲＡＭ２２に格納し、ステップＳ２１において管部品情報（位置情報、接続情報及び系統情報を含む）並びに配管及びダクト部品情報（位置情報、接続情報及び系統情報を含む）を取得してＲＡＭ２２に格納する。そして、ステップＳ７においてすべての階の図面データについて検索したか否かが判断され、ＮＯのときはステップＳ５に戻る一方、ＹＥＳのときはステップＳ２２に進む。
【００５０】
ステップＳ２２において取得した機器位置毎に機器をソートし、ステップＳ２３においてソートした機器毎にすべての機器に対して各図面データ（ステップＳ２０で作成された系統図図面テンプレート（以下、図面テンプレートという。）の図面データをいう。）において、該当する階の図面データの該当位置に機器記号を貼り付け、ステップＳ２４において取得した管部品情報（位置情報、接続情報及び系統情報を含む）、配管及びダクト部品情報（位置情報、接続情報及び系統情報を含む）、並びに上記関連付け情報（複数の階の図面データの場合に限る。）に基づいてすべての当該各部品に対して各図面データにおいて、各機器間の配管又はダクトのルートを発生して接続し、その接続情報記号を、上記図面テンプレートの図面データにおける該当する階の図面データの該当位置に貼り付ける。さらに、ステップＳ２５において得られた系統図の図面データ（例えば、図１６参照。）を、系統図図面データメモリ２３ｃに格納して当該系統図データ生成処理を終了する。
【００５１】
以上説明したように、例えば機器情報を含む建物の図面データに基づいて、系統図に必要なデータを検索してなる中間テーブルと、系統図の元図面となる系統図図面テンプレートとを作成して系統図図面データを作成しているので、従来技術のごとく図面データから直接に系統図図面データを作成する場合に比較して処理時間を大幅に短縮することができ、作業効率を大幅に増大させることができる。
【００５２】
以上の実施形態においては、図１７の機器表データ生成処理において機器表テンプレート生成処理（Ｓ４）を実行し、図１８の系統図データ生成処理において系統図図面テンプレート生成処理（Ｓ２０）を実行しているが、本発明はこれに限らず、これらのプログラム処理において実行せず、予め別のプログラム処理で実行して作成してもよい。
【００５３】
また、図１７の機器表データ生成処理において、複数階の図面データに対する関連付け処理（Ｓ２）を実行しているが、本発明はこれに限らず、その後の処理で必要がないときは実行しなくてもよい。
【００５４】
以上の実施形態においては、複数階の建物についての設備機器の機器表や配管及びダクトの系統図を作成しているが、本発明はこれに限らず、小規模の小屋などの構造物や大規模の橋などを含む構造物についての各種の機器（機械的、電気的）の機器表や、機械的連結又は電気的な接続に関する系統図を作成してもよい。
【００５５】
以上の実施形態においては、図１７の機器表データ生成処理及び図１８の系統図データ生成処理のプログラムが記憶されたコンピュータにより読取可能なＣＤ−ＲＯＭ４５ａを用いているが、本発明はこれに限らず、ＣＤ−Ｒ，ＣＤ−ＲＷ，ＤＶＤ，ＤＶＤ−Ｒ，ＤＶＤ−ＲＷ，ＤＶＤ−ＲＡＭなどのコンピュータにより読取可能な種々の記録媒体を用いてもよい。
【産業上の利用可能性】
【００５６】
以上詳述したように、本発明に係る情報処理装置及び方法、プログラム及び記録媒体によれば、図面データ全体を解釈したり、そのために開いたりする必要がなく、図面データのごく一部のデータを読み取るだけで済み、情報の取り出しが敏速に行うことができ、作業時間の短縮が図れる。従って、従来技術に比較して処理時間を大幅に短縮することができ、作業効率を大幅に増大させることができる。また、複数の図面の関連付けを行うことで、１つの図面では実現できなかった目的の機器表や系統図を作成できる。さらに、機器表や系統図のデータを手動で入力して作成する必要がなくなり、作業の効率化が図れる。
【図面の簡単な説明】
【００５７】
【図１】本発明の一実施形態に係る図面データ処理装置の構成を示すブロック図である。
【図２】図１のハードディスクメモリ２３の構成を示すブロック図である。
【図３】図２の図面データメモリ２３ａの構成を示すブロック図である。
【図４】図１の図面データ処理装置によって実行される機器表データ生成処理（図１７）又は系統図データ生成処理（図１８）において取得される機器情報の一例を示す表である。
【図５】図３の図面データメモリ２３ａ内の中間テーブル内の管部品情報の一例を示す表である。
【図６】図３の図面データメモリ２３ａ内の中間テーブル内の配管及びダクト部品情報の一例を示す表である。
【図７】図３の図面データメモリ２３ａ内の中間テーブル内の機器情報の一例を示す表である。
【図８】図３の図面データメモリ２３ａ内の中間テーブル内の器具情報の一例を示す表である。
【図９】図３の図面データメモリ２３ａ内の中間テーブル内の躯体情報の一例を示す表である。
【図１０】図３の図面データメモリ２３ａ内の中間テーブル内の部屋情報の一例を示す表である。
【図１１】図３の図面データメモリ２３ａ内の中間テーブル内の系統情報の一例を示す表である。
【図１２】図１の図面データ処理装置によって実行される機器表データ生成処理（図１７）において入力される機器表のヘッダ項目の一例を示す図である。
【図１３】図１の図面データ処理装置によって実行される機器表データ生成処理（図１７）において設定される機器表テンプレートの一例を示す図である。
【図１４】図１の図面データ処理装置によって実行される機器表データ生成処理（図１７）又は系統図データ生成処理（図１８）において用いられる建物図面のうちの１つの階の図面データの一例を示す平面図である。
【図１５】図１の図面データ処理装置によって実行される機器表データ生成処理（図１７）において生成された機器表データ（機器仕様一覧表）の一例を示す平面図である。
【図１６】図１の図面データ処理装置によって実行される系統図データ生成処理（図１８）において生成された系統図図面データの一例を示す平面図である。
【図１７】図１の図面データ処理装置によって実行される機器表データ生成処理のフローチャートである。
【図１８】図１の図面データ処理装置によって実行される系統図データ生成処理のフローチャートである。
【符号の説明】
【００５８】
１０…図面データ処理装置、
２０…ＣＰＵ、
２１…ＲＯＭ、
２２…ＲＡＭ、
２３…ハードディスクメモリ、
２３ａ…図面データメモリ、
２３ｂ…機器表データメモリ、
２３ｃ…系統図図面データメモリ、
２３ｄ…機器表テンプレートメモリ、
２３ｅ…機器表中間ファイルメモリ、
２３ｆ…系統図図面テンプレートメモリ、
２４…プログラムメモリ、
３０…バス、
３１…キーボードインターフェース、
３２…マウスインターフェース、
３３…ディスプレイインターフェース、
３４…プリンタインターフェース、
３５ａ，３５ｂ…ドライブ装置インターフェース、
４１…キーボード、
４２…マウス、
４３…ＣＲＴディスプレイ、
４４…プリンタ、
４５…ＣＤ−ＲＯＭドライブ装置、
４５ａ…ＣＤ−ＲＯＭ、
７０…設備機器情報データベースサーバ装置、
８０…インターネット。
【図１】
2008146563.tif 000003
【図２】
2008146563.tif 000004
【図３】
2008146563.tif 000005
【図４】
2008146563.tif 000006
【図５】
2008146563.tif 000007
【図６】
2008146563.tif 000008
【図７】
2008146563.tif 000009
【図８】
2008146563.tif 000010
【図９】
2008146563.tif 000011
【図１０】
2008146563.tif 000012
【図１１】
2008146563.tif 000013
【図１２】
2008146563.tif 000014
【図１３】
2008146563.tif 000015
【図１４】
2008146563.tif 000016
【図１５】
2008146563.tif 000017
【図１６】
2008146563.tif 000018
【図１７】
2008146563.tif 000019
【図１８】
2008146563.tif 000020